(57)【特許請求の範囲】
【請求項１】
上下方向に相対向して配置され基端部を陳列棚等に固着し先端を自由端とした一対の上部ロッド及び下部ロッドを有し、内部に商品を内蔵し上部に係止孔を開穿した複数の包装袋体を該係止孔を介して該下部ロッドに取り出し自在に係止し、該上部ロッドの先端部にプライスカード挿着部を設け該プライスカード挿着部にプライスカードを着脱自在に挿着してなる商品陳列装置において、該プライスカード挿着部に挿着される商品説明カードを有し、該商品説明カードが、上記プライスカード挿着部のプライスカードの裏面側に着脱自在に挿入される挿入部と、該挿入部の側面上端部に設けられた接続用幅狭部を介して一方及び／又は他方の側方に位置するように接続され商品の効能や宣伝文を掲載する商品説明部とから構成されてなる商品陳列装置。
【請求項２】
前記商品説明カードの幅が前記包装袋体の幅と略同一である請求項１記載の商品陳列装置。
【発明の詳細な説明】
【０００１】
【発明の属する技術分野】
本発明は、コンビニエンス・ストアやスーパー・ストアなどで内部に商品を内蔵し上部に係止孔を開穿した包装袋を該係止孔を介して陳列棚等に固着されたロッドに取り出し自在に係止する商品陳列装置の商品説明カードに関する。
【０００２】
【関連技術】
従来、コンビニエンス・ストアやスーパー・ストアなどでは、陳列棚等に多数の商品を陳列して商品の販売を行うのが通常である。この陳列棚等に商品を陳列する商品陳列装置１２としては、図５に示すごとく、上下方向に相対向して配置され基端部を陳列棚等に設けられた支持バー１４に固着し先端を自由端とした一対の上部ロッド１６及び下部ロッド１８（この一対のロッド１６，１８は一般的にはダブルフックといわれている）を有し、内部に商品Ｈを内蔵し上部に係止孔２０を開穿した複数の包装袋体２２を該係止孔２０を介して該下部ロッド１８に取り出し自在に係止し、該上部ロッド１６の先端部にプライスカード挿着部２４を設け該プライスカード挿着部２４にプライスカード２６を着脱自在に挿着してなる構造が知られている。該プライスカード２６には商品の値段２８の他にバーコード３０や商品名３２が表示される。
【０００３】
この種の商品陳列装置１２では、通常は、該下部ロッド１８に係止された包装袋体２２に内蔵された商品Ｈの説明や宣伝文句は、当該包装袋体２２の表面に表示記載されたものだけとなる。そこで、顧客の販売欲を刺激するような宣伝文や効能文を表示するために、上記したプライスカード挿着部２４にメーカーが独自に作製した商品の効能や宣伝文句を表示した補助的な宣伝カード又は商品説明カード３４を特別に挿入することが広く行われている。
【０００４】
この宣伝カード又は商品説明カード３４は、上記プライスカード挿着部２４に着脱自在に挿入される挿入部３６と、該挿入部３６の上面に設けられた長尺の接続帯部３８と、該接続帯部３８の先端部に形成された宣伝文句等を表示する宣伝表示部４０とから構成されている。場合によっては、該接続帯部３８が省略されて該挿入部３６に直接的に宣伝表示部４０が接続されることも多い。図５に示したタイプの宣伝カード３４は一般的にはポップと称される。
【０００５】
この宣伝カード又は商品説明カード３４をプライスカード挿着部２４に挿入部３６を介して挿着すると、図５から明らかなように、次のような問題が生じている。▲１▼宣伝カード３４を挿着しただけで場所をとってしまい、多数の包装袋体が懸吊されている陳列棚が狭苦しくなる。▲２▼整然としている商品陳列棚が見苦しい状態となってしまう。▲３▼したがって、商品陳列装置の美観が損なわれる。▲４▼しかも、この宣伝カード３４の挿着自体が安定しない上、この宣伝カード３４によって商品自体やその値段表示が隠れてしまい売り場としての機能も低下してしまう。
【０００６】
【発明が解決しようとする課題】
本発明は、上記した従来の問題点に鑑みなされたもので、宣伝カード又は商品説明カードを挿着しても、▲１▼新たな場所をとることなく、▲２▼陳列棚の状態を整然としたまま維持することができ、▲３▼商品陳列装置の美観が損なわれることがなく、▲４▼宣伝カード又は商品説明カードを安定して挿着することができかつこれを挿着してあっても商品自体やその値段表示が隠れることはなく売り場としての機能を充分に発揮することができるようにした商品陳列装置及び商品説明カードを提供することを目的とする。
【０００７】
【課題を解決するための手段】
上記課題を解決するために、本発明の商品陳列装置は、上下方向に相対向して配置され基端部を陳列棚等に固着し先端を自由端とした一対の上部ロッド及び下部ロッドを有し、内部に商品を内蔵し上部に係止孔を開穿した複数の包装袋体を該係止孔を介して該下部ロッドに取り出し自在に係止し、該上部ロッドの先端部にプライスカード挿着部を設け該プライスカード挿着部にプライスカードを着脱自在に挿着してなる商品陳列装置において、該プライスカード挿着部に挿着される商品説明カードを有し、該商品説明カードが、上記プライスカード挿着部のプライスカードの裏面側に着脱自在に挿入される挿入部と、該挿入部の側面上端部に設けられた接続用幅狭部を介して一方及び／又は他方の側方に位置するように接続され商品の効能や宣伝文を掲載する商品説明部とから構成されるようにしたものである。
【０００８】
また、前記商品説明カードの幅を前記包装袋体の幅と略同一とすることにより、商品説明カードが重なり合って美観を損なうことがなく、宣伝広告効果を充分に発揮することができる。
【０００９】
前記商品説明カードは、商品陳列装置のプライスカード挿着部のプライスカードの裏面側に着脱自在に挿入される挿入部と、該挿入部の側面上端部に接続用幅狭部を介して一方及び／又は他方の側方に位置するように接続され商品の効能や宣伝文を構成する商品説明部とから構成される。
【００１０】
【発明の実施の形態】
以下に本発明の実施の形態を添付図面中、図１〜図４に基づいて説明する。図１〜図４において図５に示した部材と同一又は類似部材については同一符号を使用する。
【００１１】
図中、１２は本発明に係る商品陳列装置である。該商品陳列装置１２は、図５に示した従来装置と同様に、上下方向に相対向して配置され基端部を陳列棚等に設けられた支持バー１４に固着し、先端を自由端とした一対の上部ロッド１６及び下部ロッド１８を有し、内部に商品Ｈを内蔵し上部に係止孔２０を開穿した複数の包装袋体２２ａ，２２ｂ，２２ｃを該係止孔２０を介して該下部ロッド１８に取り出し自在に係止し、該上部ロッド１６の先端部にプライスカード挿着部２４を設け、該プライスカード挿着部２４にプライスカード２６を着脱自在に挿着してなる構造を有している。該プライスカード２６には商品の値段２８の他にバーコード３０や商品名３２が表示される。上記した構成は図５に示した従来装置と同様である。
【００１２】
符号４２ａ，４２ｂ，４２ｃは本発明に係る商品説明カードである。該商品説明カード４２ａ〜４２ｃは、上記プライスカード挿着部２４のプライスカード２６の裏面側に着脱自在に挿入される挿入部４４と、該挿入部４４の側面上端部に設けられた接続用幅狭部４６を介して一方及び／又は他方の側方に位置するように接続され、商品Ｈの効能や宣伝文を掲載する商品説明部４８とから構成されている。
【００１３】
なお、商品説明カード４２ａ，４２ｃにおいて、商品説明部４８の反対側に接続用幅狭部４６を介して設けられた細幅余白部５０はバランス上設けたもので設置しなくても特別の支障はない。
【００１４】
図１には、商品説明カード４２ａは挿入部４４の右側に商品説明部４８を有し、商品説明カード４２ｂは挿入部４４の両側に商品説明部４８，４８を有し、商品説明カード４２ｃは挿入部４４の左側に商品説明部４８を有している例をそれぞれ示した。
【００１５】
図１によく示されるように、それぞれの商品説明カード４２ａ〜４２ｃは、その挿入部４４と商品説明部４８の配置とがそれぞれ異なるが、その横幅は、対応する包装袋体２２ａ，２２ｂ，２２ｃの横幅と略一致するように形成されている。
【００１６】
商品説明カード４２ａ〜４２ｃの横幅が大きすぎると、隣接する商品説明カードと重なり合ってしまって見苦しく、またそれぞれの宣伝文句等が充分に目視出来なくなる等の不都合がある。
【００１７】
一方、商品説明カード４２ａ〜４２ｃの横幅が小さすぎると、宣伝文句等を表示記載する面積が制限されるので充分なる宣伝広告効果を期待できなくなる。
【００１８】
商品説明カード４２ａ〜４２ｃの横幅を対応する包装袋体２２ａ〜２２ｃの横幅と略同一としておけば、隣接する商品説明カードと重なり合って美観を損なうことがなく、かつ宣伝文句等を表示記載する面積も充分とれるので宣伝広告効果も低下することがなくなる。
【００１９】
【発明の効果】
以上述べたごとく、本発明によれば、宣伝カード又は商品説明カードを挿着しても、▲１▼新たな場所をとることなく、▲２▼陳列棚の状態を整然としたまま維持することができ、▲３▼商品陳列装置の美観が損なわれることがなく、▲４▼宣伝カード又は商品説明カードを安定して挿着することができかつこれを挿着してあっても商品自体やその値段表示が隠れることはなく売り場としての機能を充分に発揮することができるという効果を達成することができる。
【図面の簡単な説明】
【図１】本発明の商品陳列装置の一つの実施の形態を示す正面図である。
【図２】同上の部分斜視図である。
【図３】本発明の商品説明カードの一例を示す斜視図である。
【図４】本発明の商品説明カードの他の例を示す斜視図である。
【図５】従来の商品陳列装置の一例を示す部分斜視図である。
【符号の説明】
１２：商品陳列装置、１４：支持バー、１６：上部ロッド、１８：下部ロッド、２０：係止孔、２２，２２ａ，２２ｂ，２２ｃ：包装袋体、２４：プライスカード挿着部、２６：プライスカード、２８：商品の値段、３０：バーコード、３２：商品名、３４：宣伝カード又は商品説明カード、３６，４４：挿入部、３８：接続帯部、４０：宣伝表示部、４２ａ，４２ｂ，４２ｃ：商品説明カード、４６：接続用幅狭部、４８：商品説明部、Ｈ：商品
【図１】
0003886623.tif 000002
【図２】
0003886623.tif 000003
【図３】
0003886623.tif 000004
【図４】
0003886623.tif 000005
【図５】
0003886623.tif 000006